(57)【要約】【課題】  ワイヤー等の索体を用いることなく、しかも、シンプルな構成で高い操作性，メンテナンス性、或は、堅牢性を発揮するリクライニング操作装置を提供すること。【解決手段】  座３と肘掛け６とリクライニングできる背もたれ４を備えた椅子の下部に、この椅子の前後方向に沿った向きでガススプリング７を配置し、このガススプリング７の後端を前記背もたれ４の下端部に連結すると共に、バルブを備えた前端をこの椅子の構成部材の下部に連結する一方、下端部を前記バルブに対向させた作動レバー９を肘掛けに沿って前後揺動可能に立設すると共に該作動レバー９の上端部をそのレバー９の操作部に形成したこと。【選択図】  図２
2007020858.tif 000002
【特許請求の範囲】
【請求項１】
座と肘掛けとリクライニングできる背もたれを備えた椅子の下部に、この椅子の前後方向に沿った向きでガススプリングを配置し、このガススプリングの後端を前記背もたれの下端部に連結すると共に、バルブを備えた前端をこの椅子の構成部材の下部に連結する一方、下端部を前記バルブに対向させた作動レバーを肘掛けに沿って前後揺動可能に立設すると共に該作動レバーの上端部をそのレバーの操作部に形成したことを特徴とするリクライニング椅子のリクライニング操作装置。
【請求項２】
ガススプリングのバルブを備えた前端部は、断面略凵状などのブラケットを介して肘掛けの下部又は椅子のベースフレームなど、当該椅子の固定系構成部材に連結した請求項１のリクライニング椅子のリクライニング操作装置。
【請求項３】
作動レバーは、前記ブラケットに軸止めして設けた請求項２のリクライニング椅子のリクライニング操作装置。
【請求項４】
操作部は、短ロッド状のプッシュボタンを肘掛け上部の前面に前後動可能に設け、当該ボタンの後端を作動レバーの上端部前面に当接させて形成した請求項１〜３のいずれかのリクライニング椅子のリクライニング操作装置。
【発明の詳細な説明】
【技術分野】
【０００１】
本発明は劇場や車輌等で使用される背もたれがリクライニングする椅子のクリライニング操作装置に関する。
【背景技術】
【０００２】
従来よりリクライニング椅子のリクライニング操作装置は、特許文献１〜３などにより多くの提案がなされ、実用に供されているものもある。
【０００３】
リクライニング椅子は、背もたれを例えば椅子フレームに傾動可能に取付け、背もたれをその傾動中心（傾動軸）に関して傾動可能，所望傾動角で固定させる手段にガススプリングを使用したものも多い。そして、背もたれの傾動を許容又は阻止する操作機構は、前記ガススプリングのピストンロッド（ピストンを含む）のストローク動作を許容又は阻止するバルブの開閉を、椅子の肘掛けなどの手元に設けた操作レバーなどの手元操作部から前記ガススプリングのバルブまでをワイヤー等の索体で連繋したものが大半である。
【０００４】
しかし、ワイヤーによる手元操作部とガススプリングのバルブを連繋した操作機構は、ワイヤーの錆付き、或は、ワイヤーエンドに設けたいわゆるタイコ部材の脱落やワイヤー自体の切断などによる作動不能問題があり、また、ワイヤーの伸びによって動作不良が生じるという問題もある。
【特許文献１】特許第２８７９１０８号公報
【特許文献２】実公平１−１６４４１号公報
【特許文献３】実公平１−３４５８３号公報
【発明の開示】
【発明が解決しようとする課題】
【０００５】
本発明は、上記のようなリクライニング椅子における従来のリクライニング操作装置の問題点に鑑み、ワイヤー等の索体を用いることなく、しかも、シンプルな構成で高い操作性，メンテナンス性、或は、堅牢性を発揮するリクライニング操作装置を提供することを、その課題とする。
【課題を解決するための手段】
【０００６】
上記課題を解決することを目的としてなされた本発明リクライニング操作装置の構成は、座と肘掛けとリクライニングできる背もたれを備えた椅子の下部に、この椅子の前後方向に沿った向きでガススプリングを配置し、このガススプリングの後端を前記背もたれの下端部に連結すると共に、バルブを備えた前端をこの椅子の構成部材の下部に連結する一方、下端部を前記バルブに対向させた作動レバーを肘掛けに沿って前後揺動可能に立設すると共に該作動レバーの上端部をそのレバーの操作部に形成したことを特徴とするものである。
【０００７】
本発明は上記構成において、ガススプリングのバルブを備えた前端部は、断面略凵状などのブラケットを介して肘掛けの下部又は椅子のベースフレームなど、当該椅子の固定系構成部材に連結することがある。
【０００８】
そして、バルブに下端部を対向させて配設した作動レバーは、前記ブラケットに軸止めして設ける。また、操作レバーの上端部に形成する操作部は、短ロッド状のプッシュボタンを肘掛け上部の前面に前後動可能に設け、当該ボタンの後端を作動レバーの上端部前面に当接させることにより形成する。
【発明の効果】
【０００９】
本発明は、リクライニングする背もたれを備えた椅子の下部に、この椅子の前後方向に沿った向きでガススプリングを配置し、このガススプリングの後端を前記背もたれの下端部に連結すると共に、バルブを備えた前端をこの椅子の構成部材の下部に連結する一方、下端部を前記バルブに対向させた作動レバーを肘掛けに沿って前後揺動可能に立設すると共に該作動レバーの上端部をそのレバーの操作部に形成してリクライニング操作装置を構成したので、故障やトラブルが生じ易いワイヤーを用いることなく、高い操作性，メンテナンス性を発揮するリクライニング操作装置をシンプルな構造で提供することができる。
【発明を実施するための最良の形態】
【００１０】
次に本発明リクライニング操作装置の実施の形態例について、図を参照して説明する。図１は本発明リクライニング操作装置を搭載したリクライニング椅子の一例を透視した側面図、図２は本発明リクライニング操作装置の構成を説明するための側面図、図３は図２における要部の拡大斜視図である。
【００１１】
図に例示したリクライニング椅子は、劇場やプラネタリウム館など屋内に設置される椅子であるが、本発明は背もたれがリクライニングする椅子であれば、車輌用椅子やその他の椅子にも適用できる。
【００１２】
図示した椅子において、１は床Ｆにアンカーボルトなどにより固定したベース２に立設した椅子フレームで、このフレーム１には、跳ね上げ式の座３と、水平な取付軸５を中心に傾動する背もたれ４と、前記座３を挟むように配設した左右の肘掛け６が装設されている。例示した椅子では、椅子フレーム１に肘掛け６の内部フレーム6aが固設されている。
【００１３】
背もたれ４のリクライニングは、背もたれフレーム4aが軸５によって椅子フレーム１又は内部フレーム6aに軸着されていることにより傾動可能になっており、図の例では、前記軸５より下方に延設した傾動ブラケット4bと肘掛け６の内部フレーム6aの前方下部の間に架設したガススプリング７のプッシュバルブ7cを開閉することにより、このスプリング７に、フリー状態（ピストンのストローク自在）とロック状態（ピストンのストローク阻止）を選択することによって、背もたれ４の傾動自在とそのロックを制御するようになっている。
【００１４】
次に、上記傾動ブラケット4bと肘掛け６の内部フレーム6aの前方下部との間に架設されたガススプリング７と、このガススプリング７のバルブを開閉してリクライニングの操作をする本発明操作装置の一例について説明する。
【００１５】
ガススプリング７の後端部7aは、前記ブラケット4bに軸P1により連結されている。一方、ピストンロッド7bの先端部の同軸上に出没タイプのプッシュバルブ7cを有するガススプリング７の前記ロッド7bの先端部が平面視の断面が略コ状或は略Ｌ状などのブラケット８を介して肘掛け６の前方下部の定位置に軸P2により固定されている。ここで、プッシュバルブ7cは、没入させるとガススプリング７をフリー状態にし、突出したままではガススプリング７をロック状態に維持する。
【００１６】
本発明では、上記バルブ7cの出没を操作するため棒状乃至ロッド状の作動レバー９を、その下端部9aにおいて前記ブラケット８に軸P3により枢着して肘掛け６における内部フレーム6aの前方下部に立ち姿勢で設けた。このレバー９の高さ（長さ）は、その上端部9bがこの肘掛け６の内部の上部に位置する程度に整えている。
【００１７】
上記作動レバー９の上端部9bの前面に対向する肘掛け６の前面側には、後端部10aが前記上端部9bに当接する短かいロッド状のプッシュボタン10を、その前端部10bが肘掛け６の前面から外部に露出するよう設け、この実施例での操作部の一例に形成した。
【００１８】
なお、9cは作動レバー９の中間部に設けたガイドピンで、肘掛け６の内部フレーム6aの側面に設けた円弧状のガイド溝6bに支持され、この作動レバー９の前後揺動範囲を規制している。作動レバー９の前後揺動の規制の仕方は、上記例の形態に限られるものではない。例えば、肘掛け６の内部フレーム6aの側面に、作動レバー９の揺動端を規める突子や突起などを設ける形態であってもよい。
【００１９】
次に、本発明操作装置の操作例について説明する。背もたれ４がリクライニングしていない（最も前傾している）ときは、図２に例示するように、ガススプリング７のピストンロッドが進出状態（ロッドの先端部7bとシリンダの先端の距離が大）にあってこのガススプリング７がロック状態にある。
【００２０】
背もたれ４が図２の状態にあるとき、座３に掛けた者が背もたれ４を後傾（リクライニング）させるには、肘掛け６の前面上部に設けられているプッシュボタン10を自分の指の腹で肘掛け内部に押込む操作をする。プッシュボタン10が押込まれると、その先端10aが作動レバー９の上端部9bを図２の右方へ押す。押された作動レバー９は、軸P3を中心に図の右方へわずかな角度だけ後傾（又は揺動）するが、この後傾により作動レバー９における軸P3より上に位置したレバー下端部9aが、ピストンロッド先端部7bのプッシュバルブ7cをロッド内に押込む（没入させる）。
【００２１】
上記バルブ7cが後退させられその状態が保持される（ブッシュボタン10を押したまま）と、ガススプリング７のロック状態は解除されてフリー状態になる。つまり、背もたれ４は、ガススプリングがフリーであるため図２の最前傾状態から図１の最後傾状態までの間で、着座者の意思によって任意の傾きにすることができる。
ここで、ガススプリング７は、フリー状態にすると内部の圧縮ガスがそのロッドを進出させる側に作用するので、背もたれ４にはそのブラケット4bを介して前傾する側の力を受ける。従って、その背もたれ４を後傾させるには、プッシュバルブ7cを開けて着座者が背もたれ４に身体をあずける感じで後傾させることになる。
【００２２】
背もたれ４が着座者の好みの傾きになったら、プッシュボタン10から指（手）を離すと、バルブ7cが自己復帰するのでガススプリング７はそこでロック状態になる。
【００２３】
リクライニングした背もたれ４を元の姿勢にするには、プッシュボタン10を再び押せば、ガススプリング７のプッシュバルブ7cが作動レバー９の下端部9aに押されてそのスプリングをフリー状態にするから、背もたれ４にあずけていた背中を離せば、背もたれ４は図２の前傾位置に戻る。
【産業上の利用可能性】
【００２４】
本発明は以上の通りであって、背もたれのリクライニングをロックしたり自由にしたりするガススプリングのバルブの開閉操作を、プッシュボタンに押されて動く剛性の作動レバーの動作によって直接行うようにしたから、操作ボタン，操作レバーとガススプリングのバルブの間をワイヤーで連結していた従来の操作装置のようなワイヤーに起因するトラブル等の問題が生じることがない。
【００２５】
よって、本発明操作装置は、リクライニング椅子の背もたれリクライニング用の操作装置としてきわめて有用である。
【図面の簡単な説明】
【００２６】
【図１】本発明リクライニング操作装置を搭載したリクライニング椅子の一例を透視した側面図。
【図２】本発明リクライニング操作装置の構成を説明するための側面図。
【図３】図２における要部の拡大斜視図。
【符号の説明】
【００２７】
１    椅子フレーム
２    ベース
３    座
４    背もたれ
５    後傾軸
６    肘掛け
７    ガススプリング
８    ブラケット
９    作動レバー
10    プッシュボタン
【図１】
2007020858.tif 000003
【図２】
2007020858.tif 000004
【図３】
2007020858.tif 000005